(57)【要約】【課題】リテーナの組付け状態を容易に確認できるようにする。【解決手段】端子金具３０の挿入過程では端子金具３０との干渉によりランス１３が撓み空間１９内へ進出し、端子金具３０が正規挿入位置に到達するとランス１３が弾性復帰して端子金具３０に対して抜止め状態に係止する。リテーナ４０を前方から端子収容部１１に組み付けると、リテーナ４０の規制部４８が前方から撓み空間１９内に進入して、ランス１３が撓み空間１９内に進出するのを規制する。リテーナ４０には、規制部４８が撓み空間１９内に進出したランス１３と干渉して撓み空間１９内への進入を規制されている状態で、フード部２３の前方へ突出する検知部４９が形成されている。【選択図】図３
2012238470.tif 000002
【特許請求の範囲】
【請求項１】
端子収容部から前方へ筒状のフード部を突出させた形態のハウジングと、
前記端子収容部内に形成した端子収容室に後方から挿入される端子金具と、
前記端子収容室の内壁に沿うように形成され、前記端子金具の挿入過程では前記端子金具との干渉により撓み空間へ進出するように弾性撓みし、前記端子金具が正規挿入位置に到達すると弾性復帰して前記端子金具に対して抜止め状態に係止するランスと、
前記端子収容部に対して前方から組み付けられるリテーナと、
前記リテーナに形成され、前方から前記撓み空間内に進入することで前記ランスが前記撓み空間内へ進出するのを規制する規制部と、
前記リテーナに形成され、前記規制部が前記撓み空間内に進出した前記ランスと干渉して前記撓み空間内への進入を規制されている状態では、前記フード部の前方へ突出する検知部とを備えていることを特徴とするコネクタ。
【請求項２】
前記検知部は、前記リテーナを前記端子収容部に組み付けた状態で、前記フード部内に嵌入された相手側コネクタの外面に全幅に亘って重なるような板状をなしていることを特徴とする請求項１記載のコネクタ。
【請求項３】
前記検知部は、前記リテーナを前記端子収容部に組み付けた状態で、前記フード部の内壁面に重なるような板状をなしていることを特徴とする請求項１又は請求項２記載のコネクタ。
【請求項４】
前記端子収容部の外面には、前記ハウジングを他部材に取り付けるための取付部が突出して形成されており、
前記検知部は、前記フード部の内壁面のうち周方向において前記取付部と対応する領域に配置されていることを特徴とする請求項３記載のコネクタ。
【請求項５】
前記検知部には、前記リテーナを前記端子収容部から外すための治具を係止させる治具係止部が形成されていることを特徴とする請求項１ないし請求項４のいずれか１項に記載のコネクタ。
【請求項６】
前記リテーナが、前記規制部が形成された本体部を有し、
前記検知部が、前記端子収容部に対する前記リテーナの組付け方向と交差する方向において、前記本体部の外面から突出しているものにおいて、
前記検知部の後端部には、前記リテーナの組付け方向に対して傾斜したガイド斜面が形成されていることを特徴とする請求項１ないし請求項５のいずれか１項に記載のコネクタ。
【発明の詳細な説明】
【技術分野】
【０００１】
本発明は、コネクタに関するものである。
【背景技術】
【０００２】
特許文献１には、端子収容部から前方へ筒状のフード部を突出させた形態のハウジングと、端子収容部内の端子収容室に後方から挿入される端子金具と、端子収容部に前方から組み付けられるリテーナとを備えたコネクタが開示されている。ハウジングには、端子収容室の内壁に沿うように形成され、端子金具の挿入過程では撓み空間内へ進出するように弾性撓みし、端子金具が正規挿入位置に到達すると弾性復帰して端子金具に対して抜止め状態に係止するランスが形成されている。リテーナには、撓み空間内に進入することでランスの弾性撓みを規制する規制部が形成されている。
【０００３】
このコネクタは、端子金具が正規挿入位置に到達しない半挿入状態のときに、ランスが撓み空間内へ進出したままとなる。したがって、端子金具が半挿入の状態でリテーナを組み付けると、規制部が撓み空間内のランスと干渉することにより、リテーナを正しい位置へ組み付けることができなくなる。つまり、リテーナが端子収容部に正しく組み付けることができるか否かに基づいて、端子金具の挿入状態を検知することができるようになっている。
【先行技術文献】
【特許文献】
【０００４】
【特許文献１】特開平９−１０６８４６号公報
【発明の概要】
【発明が解決しようとする課題】
【０００５】
上記コネクタは、端子収容部がフード部の奥端部に位置しているため、端子収容部に組み付けられたリテーナも、フード部の奥端部に収容されることになる。そのため、フード部の外部から目視したときに、リテーナが正しい位置に組み付けられたかどうかを確認することが困難であった。
本発明は上記のような事情に基づいて完成されたものであって、リテーナの組付け状態を容易に確認できるようにすることを目的とする。
【課題を解決するための手段】
【０００６】
上記の目的を達成するための手段として、請求項１の発明は、端子収容部から前方へ筒状のフード部を突出させた形態のハウジングと、前記端子収容部内に形成した端子収容室に後方から挿入される端子金具と、前記端子収容室の内壁に沿うように形成され、前記端子金具の挿入過程では前記端子金具との干渉により撓み空間へ進出するように弾性撓みし、前記端子金具が正規挿入位置に到達すると弾性復帰して前記端子金具に対して抜止め状態に係止するランスと、前記端子収容部に対して前方から組み付けられるリテーナと、前記リテーナに形成され、前方から前記撓み空間内に進入することで前記ランスが前記撓み空間内へ進出するのを規制する規制部と、前記リテーナに形成され、前記規制部が前記撓み空間内に進出した前記ランスと干渉して前記撓み空間内への進入を規制されている状態では、前記フード部の前方へ突出する検知部とを備えているところに特徴を有する。
【０００７】
請求項２の発明は、請求項１に記載のものにおいて、前記検知部は、前記リテーナを前記端子収容部に組み付けた状態で、前記フード部内に嵌入された相手側コネクタの外面に全幅に亘って重なるような板状をなしているところに特徴を有する。
【０００８】
請求項３の発明は、請求項１または請求項２に記載のものにおいて、前記検知部は、前記リテーナを前記端子収容部に組み付けた状態で、前記フード部の内壁面に重なるような板状をなしているところに特徴を有する。
【０００９】
請求項４の発明は、請求項３に記載のものにおいて、前記端子収容部の外面には、前記ハウジングを他部材に取り付けるための取付部が突出して形成されており、前記検知部は、前記フード部の内壁面のうち周方向において前記取付部と対応する領域に配置されているところに特徴を有する。
【００１０】
請求項５の発明は、請求項１ないし請求項４のいずれかに記載のものにおいて、前記検知部には、前記リテーナを前記端子収容部から外すための治具を係止させる治具係止部が形成されているところに特徴を有する。
【００１１】
請求項６の発明は、請求項１ないし請求項５のいずれかに記載のものにおいて、前記リテーナが、前記規制部が形成された本体部を有し、前記検知部が、前記端子収容部に対する前記リテーナの組付け方向と交差する方向において、前記本体部の外面から突出しているものにおいて、前記検知部の後端部には、前記リテーナの組付け方向に対して傾斜したガイド斜面が形成されているところに特徴を有する。
【発明の効果】
【００１２】
＜請求項１の発明＞
正規挿入位置に到達していない半挿入の端子金具が存在する状態では、その端子金具と干渉したランスが撓み空間内へ進出するので、リテーナを組み付けたときに、規制部が撓み空間内のランスと干渉して、検知部がフード部の前方へ突出する。これに対し、端子金具が正規挿入されているときには、規制部が撓み空間内に進入することができるので、検知部の位置は、半挿入の端子金具が存在する場合よりも後方となる。したがって、検知部の位置に基づいて、端子金具の挿入状態を検知することができる。本発明では、検知部がフード部の前方へ突出するようにしたので、半挿入状態の端子金具が存在することを容易に確認することができる。
【００１３】
＜請求項２の発明＞
検知部は、相手側コネクタの外面に全幅に亘って重なるような板状をなしているので、相手側コネクタの外面に検知部を収容するための逃がし溝を形成する必要がなく、相手側コネクタの外面形状を簡素化することができる。
【００１４】
＜請求項３の発明＞
リテーナを組み付けるときには、検知部をフード部の内壁面に沿わせることによって、リテーナを位置決めできるとともに、リテーナの姿勢の安定化を図ることができる。
【００１５】
＜請求項４の発明＞
ハウジングのうちリテーナの組付け時に検知部が配置される部分は、検知部とフード部を構成する壁部とが重なる二重壁構造となるため、検知部が設けられていない場合に比べると、フード部が大型化することが懸念される。本発明は、端子収容部の外面から取付部が突出し、ハウジング全体としては取付部の前方がデッドスペースとなることに着目し、検知部をこの取付部と対応する領域に配置した。このようにすれば、フード部が大型化してもデッドスペース内に納まるので、フード部の内壁面と重なるような検知部を設けても、ハウジングが大型化することはない。
【００１６】
＜請求項５の発明＞
端子収容部に組み付けたリテーナを外す際には、治具を治具係止部に係止させて操作すれば、リテーナを外すことができる。
【００１７】
＜請求項６の発明＞
検知部は本体部の外面から突出しているため、リテーナを端子収容部に組み付ける際に、検知部の後端部がフード部の前端縁に引っ掛かって組付け作業に支障を来すことが懸念される。しかし、本発明では、検知部の後端部に、リテーナの組付け方向に対して傾斜したガイド斜面を形成しているので、検知部の後端部は、フード部の前端縁に当たっても、ガイド斜面の傾斜により引っ掛かりが回避され、リテーナの組付け作業を円滑に進めることができる。
【図面の簡単な説明】
【００１８】
【図１】実施形態１のコネクタの正面図
【図２】リテーナが正規に組み付けられている状態をあらわす図１のＡ−Ａ線断面図
【図３】半挿入の端子金具が存在している状態でリテーナを組み付けた状態をあらわす断面図
【図４】リテーナを外した状態をあらわすハウジングの正面図
【図５】リテーナを外した状態をあらわす図４のＢ−Ｂ線断面図
【図６】リテーナを外した状態をあらわす図４のＣ−Ｃ線断面図
【図７】リテーナの正面図
【図８】リテーナの背面図
【図９】リテーナの側面図
【図１０】リテーナの底面図
【図１１】図７のＤ−Ｄ線断面図
【図１２】図７のＥ−Ｅ線断面図
【発明を実施するための形態】
【００１９】
＜実施形態１＞
以下、本発明を具体化した実施形態１を図１〜図１２を参照して説明する。図２に示すように、本実施形態の雄側コネクタＭ（本発明の構成要件であるコネクタ）は、ハウジング１０と、端子金具３０と、リテーナ４０とを備えて構成されている。以下の説明において、前後方向は、ハウジング１０に対するリテーナ４０の着脱方向（組付け方向）と平行な方向を意味する。また、上下方向は、リテーナ４０の着脱方向に対して略直角に交差するとともに、ランス１３の弾性撓み方向と略平行な方向を意味する。さらに、左右方向は、リテーナ４０の着脱方向に対して略直角に交差するとともに、ランス１３の弾性撓み方向に対して略直角に交差する方向を意味する。
【００２０】
ハウジング１０は、合成樹脂製である。図２，３に示すように、ハウジング１０は、全体としてブロック状をなす端子収容部１１と、端子収容部１１の下面から下方へ突出した形態の取付部２０と、端子収容部１１の前端から前方へ角筒状に突出した形態のフード部２３とを一体に形成したものである。ハウジング１０は、その全体が左右対称な形態となっている。
【００２１】
図１，４に示すように、端子収容部１１内には、前後方向へ貫通する６室の端子収容室１２が、上下２段に分かれて左右に整列して形成されている。各端子収容室１２には、その下面壁に沿って前方へ片持ち状に延出した形態のランス１３が一体に形成されている。端子収容部１１には、後述するリテーナ４０を収容するための収容空間１４が形成されている。収容空間１４は、端子収容部１１の前端面（フード部２３の奥端面）に開口し、６室の端子収容室１２を包囲する方形溝１５と、上段の端子収容室１２と下段の端子収容室１２との間に配された水平な連通溝１６とから構成されている。
【００２２】
図４に示すように、方形溝１５は、左右一対の縦溝１７と上下一対の横溝１８を有し、連通溝１６は、左右一対の縦溝１７同士を連通させている。連通溝１６における奥側（後側）の領域は、上段の端子収容室１２のランス１３の下面（端子収容室１２とは反対側の面）に臨む撓み空間１９となっている。下側の横溝１８における奥側（後側）の領域は、下段の端子収容室１２のランス１３の下面（端子収容室１２とは反対側の面）に臨む撓み空間１９となっている。各ランス１３は、撓み空間１９内へ進出するように下方へ弾性撓みし得るようになっている。
【００２３】
図１，２に示すように、取付部２０は、嵌合部２１と、ロックアーム２２とを備えて構成されている。嵌合部２１は、端子収容部１１の下面（外面）から前後方向に貫通する箱状に突出している。前後方向における嵌合部２１の形成領域は、端子収容部１１の前端部から、端子収容部１１の後端よりも少し前方の範囲に亘っている。ロックアーム２２は、嵌合部２１内に収容され、端子収容部１１の外面における前端部から後方へ片持ち状に延出した形態であり、上下方向に弾性撓みし得るようになっている。
【００２４】
図２に示すように、この取付部２０は、水平な板状をなすブラケット６０（本発明の構成要件である他部材）に取り付けられるようになっている。取り付けに際しては、後方から嵌合部２１をブラケット６０に外嵌する。取付の過程では、ロックアーム２２がブラケット６０と干渉して弾性撓みし、取付部２０がブラケット６０に対して正規の取付け位置に達すると、ロックアーム２２が弾性復帰してブラケット６０に係止する。これにより、ハウジング１０がブラケット６０に取り付けられる。
【００２５】
図１，２に示すように、フード部２３は、略平板状の底壁部２４と、底壁部２４の左右両側縁から上方へ立ち上がる一対の略平板状の側壁部２５と、左右両側壁部２５の上端縁同士を繋ぐ略平板状の上壁部２６とから構成されている。フード部２３の幅寸法は、端子収容部１１の幅寸法と概ね同じ寸法であるが、フード部２３の上下寸法は端子収容部１１の上下寸法よりも大きい。したがって、上壁部２６は端子収容部１１の上面よりも上方に位置する。また、底壁部２４は、端子収容部１１の下面及び収容空間１４の下側の横溝１８よりも下方であり、且つ取付部２０の下面及びロックアーム２２よりも上方に位置している。上記した端子収容部１１の収容空間１４の前端の開口は、フード部２３の内部空間に臨んでいる。
【００２６】
図１，４に示すように、左右両側壁部２５は、その下端部が幅方向（＝左右方向）の外向きへ膨出しており、この膨出部分には、左右両側壁部２５の内側面を凹ませた形態の一対のガイド溝２７が形成されている。上下方向においてガイド溝２７の上縁（上面）は、下側の横溝１８の上縁（上面）と同じ高さであり、ガイド溝２７の下縁（下面）は、下側の横溝１８（撓み空間１９）の下面よりも下方に位置する。そして、前後方向におけるガイド溝２７の形成領域は、フード部２３の前端から、収容空間１４内におけるランス１３よりも前方の位置に亘る範囲である。このガイド溝２７と、底壁部２４の上面は、いずれも、ハウジング１０に対するリテーナ４０の組付け方向（着脱方向）と平行な方向である。
【００２７】
図２，３に示すように、端子金具３０は、全体として前後方向に細長く、前端部にはタブ３１が形成され、タブ３１の後端には略角筒状をなす箱部３２が連なっている。箱部３２の下面には、ランス１３を係止させるための係止孔３３が形成されている。箱部３２の後端にはオープンバレル状の電線圧着部３４が連なり、電線圧着部３４には電線３５が接続されている。端子金具３０は、後方から端子収容室１２内に挿入される。挿入の過程では、ランス１３が箱部３２と干渉して撓み空間１９内へ進出するように下方へ弾性撓みする。そして、端子金具３０が正規の挿入位置に到達すると、ランス１３が弾性復帰して係止孔３３に係止し、この係止作用によって端子金具３０が抜止め状態に保持される。また、図３に示すように、端子金具３０が正規挿入位置に到達しない半挿入位置（半挿入状態）にあるときには、ランス１３は撓み空間１９内へ進出したままとなる。
【００２８】
リテーナ４０は、合成樹脂製であり、その全体が左右対称な形態となっている。図７〜１２に示すように、リテーナ４０は、本体部４１と、本体部４１から前方へ片持ち状に延出した形態の検知部４９とを一体に形成して構成されている。本体部４１は、前後方向に貫通した角筒状をなしていてハウジング１０の方形溝１５に嵌入される方形枠４２と、略水平な平板状をなしていてハウジング１０の連通溝１６に嵌入される連結板４３とを備えている。方形枠４２は、略平板状をなす下板部４４と、下板部４４の左右両側縁から上方へ立ち上がる一対の側板部４５と、左右両側板部４５の上端縁同士を連結する上板部４６とを備えて構成される。連結板４３は、左右両側板部４５同士を連結している。
【００２９】
連結板４３の上面には、上段の３つの端子収容室１２と対応するように突出した３つの支持部４７が形成されている。連結板４３における後端側の部分は、上段の撓み空間１９内に進入可能な規制部４８となっている。下板部４４の上面には、下段の３つの端子収容室１２と対応するように突出した３つの支持部４７が形成されている。下板部４４における後端側の部分は、下段の撓み空間１９内に進入可能な規制部４８となっている。
【００３０】
図７，９に示すように、検知部４９は、水平な略平板状をなしており、その後端部において本体部４１に連なっている。上下方向において、検知部４９の上面は本体部４１の下面とほぼ同じ高さであり、したがって、検知部４９の下面は、本体部４１の下面よりも検知部４９の板厚分だけ下方に位置する。検知部４９の後端は、本体部４１の前端よりも少し後方に位置する。そして、検知部４９の後端面には、前後方向（ハウジング１０に対するリテーナ４０の着脱方向）に対して傾斜したガイド斜面５０が形成されている。検知部４９の幅寸法は、本体部４１の全幅よりも大きく、検知部４９の左右両側縁部は、本体部４１の左右両外側面よりも幅方向外方へ突出している。
【００３１】
図７，１１，１２に示すように、検知部４９の左右両側縁部には、上方へ立ち上がる一対のガイドリブ５１が形成されている。前後方向におけるガイドリブ５１の形成領域は、検知部４９の前端から後端に亘る範囲である。検知部４９の下面からガイドリブ５１の上面までの高さ寸法は、ガイド溝２７の高さ寸法とほぼ同じ寸法である。検知部４９には、その左右方向における略中央領域を切欠した形態の治具係止部５２が形成されている。治具係止部５２は、検知部４９を上下に貫通した形態であり、全体として前後方向に細長く延びている。前後方向において、治具係止部５２の形成領域は、検知部４９の前端よりも後方の位置から、検知部４９の後端に亘る範囲である。
【００３２】
次に、本実施形態の作用を説明する。雄側コネクタＭは、次の手順で組み付けられる。まず、ハウジング１０からリテーナ４０が外されている状態において、各端子収容室１２に後方から端子金具３０を挿入する。全ての端子金具３０を正規挿入位置に挿入したら、ハウジング１０に対して前方からリテーナ４０を組み付ける。
【００３３】
リテーナ４０を組み付ける際には、検知部４９の前端部を指で摘み、本体部４１と検知部４９の後端側部分をフード部２３内に挿入する。この後、検知部４９の前端縁を指で押し操作して、リテーナ４０をフード部２３の奥方へ押し込む。このように、検知部４９はリテーナ４０を組み付けるための操作部としての機能を有する。検知部４９の後端部をフード部２３内に進入させるときには、リテーナ４０の本体部４１をフード部２３の底壁部２４に摺接させる。すると、検知部４９の後端のガイド斜面５０がフード部２３の底壁部２４の前端縁に当接するので、そのままリテーナ４０を押せば、ガイド斜面５０の傾斜により、検知部４９がフード部２３内に誘導され、検知部４９の左右両端縁部とガイドリブ５１の後端部が円滑にガイド溝２７に嵌合される。
【００３４】
検知部４９のうちガイドリブ５１を含む左右両側縁部がガイド溝２７に嵌合されると、リテーナ４０が、ハウジング１０に対して上下方向及び左右方向において位置決めされるとともに、ハウジング１０に対して正しい姿勢に保たれる。そして、検知部４９の左右両端縁部とガイドリブ５１をガイド溝２７に嵌合させた状態で検知部４９を押し操作すると、リテーナ４０が、正しい経路に沿うように案内されて組み付けられていく。リテーナ４０の組付けが進むと、本体部４１の後端部が端子収容部１１の収容空間１４に嵌入され、規制部４８が撓み空間１９内に進入する。そして、本体部４１の後端が撓み空間１９の奥端に突き当たったところで、リテーナ４０が正規の組付け状態となる。
【００３５】
図２に示すように、リテーナ４０が正規に組み付けられた状態では、規制部４８が撓み空間１９内に進入するので、ランス１３は端子金具３０から解離して撓み空間１９内へ進出するような弾性撓みが規制される。これにより、ランス１３が端子金具３０に対して確実に係止した状態となり、端子金具３０が確実に抜止めされる。また、リテーナ４０をハウジング１０に組み付けた状態においては、検知部４９がフード部２３の内壁面（底壁部２４の上面）に沿うように配される。また、検知部４９は、フード部２３の内壁面のうち周方向において取付部２０と対応する領域（底壁部２４と対向する領域）に位置する。さらに、端子収容部１１の外面のうち前後方向において検知部４９と並ぶ領域に、突出形態の取付部２０が位置する。
【００３６】
リテーナ４０を組み付けた後は、図２に示すように、前方からフード部２３内にブロック状をなす雌側コネクタＦ（本発明の構成要件である相手側コネクタ）が嵌入される。雌側ハウジング１０は、上下方向及び左右方向において大きくがたつくことなく嵌入される。そして、板状をなす検知部４９は、リテーナ４０を端子収容部１１に組み付けた状態で、雌側コネクタＦの外面（下面）に全幅に亘って重なるような形態となる。したがって、雌側コネクタＦの外面には、検知部４９を収容するための逃がし溝を形成する必要がなく、雌側コネクタＦの外面形状を簡素化することができる。
【００３７】
同じく、リテーナ４０が正規に組み付けられた状態では、確実に前後方向において検知部４９の前端がフード部２３の前端と揃うように位置する。つまり、リテーナ４０は、検知部４９を含めて全体がフード部２３の内部に収容される。このように検知部４９の全体がフード部２３内に収容されたことをもって、全ての端子金具３０が正規挿入位置まで挿入されているということを検知できる。また、リテーナ４０をハウジング１０から外す際には、図３に示すように、前方からフード部２３内に差し込んだ治具６１の屈曲した先端部を、治具係止部５２に引っ掛けて、リテーナ４０を前方へ引っ張るようにすればよい。
【００３８】
また、全ての端子金具３０の挿入作業が完了した時点で、いずれかの端子金具３０が半挿入状態となっている場合には、リテーナ４０をハウジング１０に組み付けたときに、半挿入状態の端子金具３０が存在することを検知できる。即ち、図３に示すように、半挿入状態の端子金具３０が存在する場合には、その端子金具３０と干渉したランス１３が撓み空間１９内へ進出するように弾性撓みする。したがって、この状態で、リテーナ４０をハウジング１０に組み付けると、組付けの途中で、規制部４８の後端が撓み空間１９内に進出しているランス１３の前端に突き当たり、それ以上、リテーナ４０の組付け動作を進めることができなくなる。この場合には、検知部４９の前端部がフード部２３の外部前方へ突出したままとなり、この突出状態は、目視、又は手の感触によって確認することができる。このように検知部４９の前端部かフード部２３から突出していることをもって、半挿入状態の端子金具３０の存在を検知することができる。
【００３９】
本実施形態では、半挿入状態の端子金具３０が存在する場合には、検知部４９がフード部２３内にフード部２３の前方へ突出し、全ての端子金具３０が正規挿入されている（半挿入状態の端子金具３０が存在しない）場合には、検知部４９の全体がフード部２３内に収容されるようにしたので、半挿入状態の端子金具３０が存在するか否かを容易に確認することができる。
【００４０】
また、検知部４９は、リテーナ４０を端子収容部１１に組み付けた状態で、フード部２３の底壁部２４の内壁面に重なるような板状をなしている。この構成によれば、リテーナ４０を組み付けるときに、検知部４９をフード部２３の内壁面に沿わせることによって、リテーナ４０を位置決めできる。また、リテーナ４０の姿勢の安定化を図ることもできる。
【００４１】
また、端子収容部１１の外面には、ハウジング１０をブラケット６０に取り付けるための取付部２０が突出して形成されており、検知部４９は、フード部２３の内壁面のうち周方向において取付部２０と対応する領域（底壁部２４と対向する領域）に配置されている。この構成の技術的意義は、次の通りである。ハウジング１０のうちリテーナ４０の組付け時に検知部４９が配置される部分は、検知部４９とフード部２３を構成する底壁部２４とが重なる二重壁構造となるため、検知部４９が設けられていない場合に比べると、フード部２３が下方へ大型化することが懸念される。本実施形態は、端子収容部１１の下面（外面）から取付部２０が突出し、ハウジング１０全体としては取付部２０の前方（フード部２３の下面側）がデッドスペースとなることに着目し、検知部４９を前後方向において取付部２０と並ぶように配置した。このようにすれば、フード部２３が大型化してもデッドスペース内に納まるので、フード部２３の底壁部２４と重なるような検知部４９を設けても、ハウジング１０が大型化することはない。
【００４２】
また、リテーナ４０は、規制部４８が形成された本体部４１を有し、検知部４９が、端子収容部１１に対するリテーナ４０の組付け方向と交差する上下方向において、本体部４１の下面（外面）から下方へ突出している。そして、検知部４９の後端部には、リテーナ４０の組付け方向に対して傾斜したガイド斜面５０が形成されている。この構成の技術的意義は次の通りである。検知部４９は本体部４１の外面から突出しているため、リテーナ４０を端子収容部１１に組み付ける際に、検知部４９の後端部がフード部２３の前端縁に引っ掛かって組付け作業に支障を来すことが懸念される。しかし、本実施形態では、検知部４９の後端部に、リテーナ４０の組付け方向に対して傾斜したガイド斜面５０を形成しているので、検知部４９の後端部は、フード部２３の前端縁に当たっても、ガイド斜面５０の傾斜により引っ掛かりが回避され、リテーナ４０の組付け作業を円滑に進めることができる。
【００４３】
＜他の実施形態＞
本発明は上記記述及び図面によって説明した実施形態に限定されるものではなく、例えば次のような実施形態も本発明の技術的範囲に含まれる。
（１）上記実施形態では、検知部をリテーナの全幅に亘る板状としたが、検知部の幅寸法は、リテーナの最大幅より小さくてもよい。
（２）上記実施形態では、検知部をフード部の内壁面に沿うように配したが、検知部は、フード部の内壁面との間に間隔を空けて配置してもよい。
（３）上記実施形態では、検知部の左右両側縁部をフード部のガイド溝に嵌合するようにしたが、フード部には、検知部の左右両側縁部を嵌合させるようなガイド溝を形成しなくてもよい。
（４）上記実施形態では、リテーナが正規の組付位置に組み付けられている状態では、検知部の全体がフード部の内部に収容されるようにしたが、リテーナが正規の組付位置まで組み付けられたときに、検知部の前端部がフード部の前方へ少し突出するようにしてもよい。
（５）上記実施形態では、リテーナが正規の組付け位置に組み付けられている状態では、検知部の前端がフード部の前端と揃うようにしたが、リテーナが正規の組付け位置に組み付けられている状態で、検知部の前端がフード部の前端よりも後方に位置するようにしてもよい。
（６）上記実施形態では、検知部に操作部としての機能を兼備させ、リテーナを端子収容部に組み付けるときに検知部を押し操作するようにしたが、検知部とは別に専用の操作部をリテーナに形成してもよい。
（７）上記実施形態では、検知部を、フード部の内壁面のうち周方向において取付部と対応する領域に配置したが、検知部は、取付部とは非対応の領域に配置してもよい。
（８）上記実施形態では、端子収容部の外面のうち前後方向において検知部と並ぶ領域に、突出形態の取付部を形成したが、本発明は、このような取付部が形成されていないコネクタにも適用することができる。
（９）上記実施形態では、検知部が本体部の外面から突出する形態としたが、検知部は、本体部の外面から突出しない形態であってもよい。
（１０）上記実施形態では、検知部を、幅方向において相手側コネクタ（雌側コネクタ）の全幅に亘る大きさとしたが、検知部は相手側コネクタよりも幅狭であってもよい。
（１１）上記実施形態では、検知部に治具係止部を形成したが、治具係止部は、リテーナにおける検知部以外の位置に形成してもよい。
（１２）上記実施形態では、リテーナを端子収容部から外す際に治具を用いるようにしたが、治具を用いずに手作業でリテーナを端子収容部から外せるようにしてもよい。
【符号の説明】
【００４４】
Ｆ…雌側コネクタ（相手側コネクタ）
Ｍ…雄側コネクタ（コネクタ）
１０…ハウジング
１１…端子収容部
１２…端子収容室
１３…ランス
１９…撓み空間
２０…取付部
２３…フード部
３０…端子金具
４０…リテーナ
４１…本体部
４８…規制部
４９…検知部
５０…ガイド斜面
５２…治具係止部
６０…ブラケット（他部材）
６１…治具
【図１】
2012238470.tif 000003
【図２】
2012238470.tif 000004
【図３】
2012238470.tif 000005
【図４】
2012238470.tif 000006
【図５】
2012238470.tif 000007
【図６】
2012238470.tif 000008
【図７】
2012238470.tif 000009
【図８】
2012238470.tif 000010
【図９】
2012238470.tif 000011
【図１０】
2012238470.tif 000012
【図１１】
2012238470.tif 000013
【図１２】
2012238470.tif 000014